(57)【要約】【課題】第１および第２の回路の各々に用いられながらも従来よりも小型化が可能な巻線部品およびそれを備えた電源装置を提供する。【解決手段】それぞれ独立して動作する第１および第２の回路を備えた装置に共用される巻線部品１は、第１の回路に用いられる第１の巻線Ｎ１と、第１の巻線Ｎ１が巻装され第１の巻線Ｎ１の通電時に生じる磁束が通る環状の磁路を形成する共通コア２と、共通コア２に巻装されインダクタンスの大きさおよび巻数が同一である一対の分割巻線５ａ，５ｂからなる第２の巻線５とを備える。両分割巻線５ａ，５ｂは、第１の巻線Ｎ１の通電時に共通コア２を通る磁束の変化により生じる起電力が互いに打ち消し合う逆直列に接続されている。第２の巻線５への通電時に生じる漏れ磁束φ１がある場合には、この漏れ磁束φ１によって発生するリーケージインダクタンスＬｅが第２の回路に用いられる。【選択図】図１
2008172982.tif 000002
【特許請求の範囲】
【請求項１】
それぞれ独立して動作する第１および第２の回路を備えた装置に共用される巻線部品であって、第１の回路に用いられる第１の巻線と、第１の巻線が巻装され第１の巻線の通電時に生じる磁束が通る環状の磁路を形成する共通コアと、共通コアに巻装されインダクタンスの大きさおよび巻数が同一である一対の分割巻線からなる第２の巻線とを備え、両分割巻線は、第２の回路に用いられ、第１の巻線の通電時に共通コアを通る磁束の変化により生じる起電力が互いに打ち消し合う逆直列に接続されていることを特徴とする巻線部品。
【請求項２】
前記共通コアには、前記第１の巻線を１次巻線として第１の巻線と共に前記第１の回路においてトランスを構成する２次巻線が巻装されており、前記両分割巻線は、２次巻線の通電時に共通コアを通る磁束の変化により生じる起電力が互いに打ち消し合う逆直列に接続されていることを特徴とする請求項１記載の巻線部品。
【請求項３】
前記第１の巻線は、前記第１の回路においてコイルを構成することを特徴とする請求項１記載の巻線部品。
【請求項４】
前記共通コアは、それぞれ柱状の結合片の両端部から一方向に柱状の側脚片が突出した形状の一対のＵ型コアを、各側脚片の先端同士を突き合わせる形で結合することで形成されるＵＵ型のコアであって、前記各分割巻線はそれぞれ異なるＵ型コアに巻装されていることを特徴とする請求項１ないし請求項３のいずれか１項に記載の巻線部品。
【請求項５】
前記共通コアは連続する環状に形成された非分割型のリングコアであることを特徴とする請求項１ないし請求項３のいずれか１項に記載の巻線部品。
【請求項６】
前記共通コアは、それぞれ柱状の結合片の両端部から一方向に柱状の側脚片が突出し且つ結合片の中央部から前記一方向に柱状の中脚片が突出した形状の一対のＥ型コアを、各側脚片および中脚片の先端同士を突き合わせる形で結合することで形成されるＥＥ型のコアであって、前記各分割巻線はそれぞれ異なるＥ型コアに巻装されていることを特徴とする請求項１ないし請求項３のいずれか１項に記載の巻線部品。
【請求項７】
前記共通コアは、互いに対向配置される一対の結合片と、両結合片の各一端部間をそれぞれ連結する一対の側脚片と、両結合片の中央部間を連結する中脚片とを有し、前記第１の巻線は中脚部に巻装され、前記各分割巻線はそれぞれ異なる側脚片に巻装されていることを特徴とする請求項１ないし請求項３のいずれか１項に記載の巻線部品。
【請求項８】
前記第１の巻線および前記第２の巻線は、一方の前記分割巻線と第１の巻線との間の結合度と、他方の分割巻線と第１の巻線との間の結合度とが同じになるように前記共通コアに巻装されていることを特徴とする請求項１ないし請求項７のいずれか１項に記載の巻線部品。
【請求項９】
前記共通コアは、前記分割巻線が巻装される巻装部が他の部位に比べて磁気抵抗を小さくするように磁路の断面積が大きく形成されていることを特徴とする請求項１ないし請求項８のいずれか１項に記載の巻線部品。
【請求項１０】
請求項１ないし請求項９のいずれか１項に記載の巻線部品を備え、前記第１の回路と前記第２の回路との各々が電源回路であって、自己の出力電圧を監視してフィードバック制御により出力電圧を安定させる制御手段を個別に有することを特徴とする電源装置。
【発明の詳細な説明】
【技術分野】
【０００１】
本発明は、コアに巻線を巻装してなる巻線部品およびそれを備えた電源装置に関するものである。
【背景技術】
【０００２】
従来から、電源装置として、２種類の入力に応じて２種類の出力を行うようにそれぞれ独立して動作する第１および第２の回路を備えたものがある。
【０００３】
この種の電源装置は、たとえば、水が供給される放電電極とこれに対向配置された対向電極とを備え、放電電極と対向電極との間に高電圧を印加して放電させることで放電電極に供給される水にレイリー分裂を生じさせて霧化させ、ナノメータサイズの帯電微粒子水（ナノサイズミスト）を生成する静電霧化装置に用いられる。上記帯電微粒子水は、消臭、除菌により空気を浄化する機能を有する（たとえば特許文献１参照）。
【０００４】
特許文献１に記載の静電霧化装置においては、放電電極に水を供給する手間を不要とするために、放電電極を冷却して空気中の水分を放電電極上に結露させる冷却手段を採用しており、通電時に放電電極を冷却するペルチェ素子を冷却手段として有している。そのため、特許文献１に記載の静電霧化装置は、水を霧化させるための高電圧を印加する第１の回路と、ペルチェ素子に電力供給するための第２の回路とが必要になる。
【０００５】
ここで、第２の回路においては入力電圧の多少の変化は許容できるのに対し、第１の回路においては、高電圧を出力するから入力電圧が多少変化するだけでも出力電圧が大きく変化してしまうことがあり、電圧の安定した入力を必要とする。
【特許文献１】特開２００６−１２２８１９号公報
【発明の開示】
【発明が解決しようとする課題】
【０００６】
ところで、上述した種の電源装置においては、一般に第１および第２の回路の構成要素としてコアに巻線を巻装してなる巻線部品（トランス、チョークコイルなど）を用いる場合に、第１の回路と第２の回路との間での干渉の発生を避けるため、第１の回路と第２の回路とに個別に巻線部品が設けられる。このように個別に巻線部品を設けることが、電源装置全体の小型化の妨げとなっている。
【０００７】
本発明は上記事由に鑑みて為されたものであって、第１および第２の回路の各々に用いられながらも従来よりも小型化が可能な巻線部品およびそれを備えた電源装置を提供することを目的とする。
【課題を解決するための手段】
【０００８】
請求項１の発明は、それぞれ独立して動作する第１および第２の回路を備えた装置に共用される巻線部品であって、第１の回路に用いられる第１の巻線と、第１の巻線が巻装され第１の巻線の通電時に生じる磁束が通る環状の磁路を形成する共通コアと、共通コアに巻装されインダクタンスの大きさおよび巻数が同一である一対の分割巻線からなる第２の巻線とを備え、両分割巻線が、第２の回路に用いられ、第１の巻線の通電時に共通コアを通る磁束の変化により生じる起電力が互いに打ち消し合う逆直列に接続されていることを特徴とする。
【０００９】
この構成によれば、第１および第２の回路の各々に用いられながらも、第１および第２の両回路の巻線で１つの共通コアを共用しているから、各巻線に個別にコアを設けた従来構成に比べて巻線部品を小型化することができる。しかも、両分割巻線が、第１の巻線の通電時に共通コアを通る磁束の変化により生じる起電力が互いに打ち消し合う逆直列に接続されているので、第１の巻線への通電により共通コアを通る磁束が生じても、一対の分割巻線においては実質起電力は生じない。したがって、第１の巻線の通電時に生じる磁束が第２の巻線の動作に影響を及ぼすことはない。また、共通コアのうち第１の巻線が巻装された部位には、両分割巻線への通電時に実質磁束は生じず、第２の巻線の通電時に生じる磁束が第１の巻線の動作に影響を及ぼすこともない。ここにおいて、第２の巻線への通電時に生じる磁束がたとえば共通コアの周囲の空気中を通る漏れ磁束である場合には、この漏れ磁束によって発生するリーケージインダクタンスが第２の回路に用いられる。
【００１０】
請求項２の発明は、請求項１の発明において、前記共通コアには、前記第１の巻線を１次巻線として第１の巻線と共に前記第１の回路においてトランスを構成する２次巻線が巻装されており、前記両分割巻線が、２次巻線の通電時に共通コアを通る磁束の変化により生じる起電力が互いに打ち消し合う逆直列に接続されていることを特徴とする。
【００１１】
この構成によれば、両分割巻線が、２次巻線の通電時に共通コアを通る磁束の変化により生じる起電力が互いに打ち消し合う逆直列に接続されているので、共通コアのうち２次巻線が巻装された部位には、両分割巻線への通電時に実質磁束は生じず、第２の巻線の通電時に生じる磁束が２次巻線の動作に影響を及ぼすことはない。
【００１２】
請求項３の発明は、請求項１の発明において、前記第１の巻線が、前記第１の回路においてコイルを構成することを特徴とする。
【００１３】
この構成によれば、第１の巻線を第１の回路でコイルとして用いるので、共通コアに巻装される巻線の個数を少なく抑えることができ、巻線部品を小型化することができる。
【００１４】
請求項４の発明は、請求項１ないし請求項３のいずれかの発明において、前記共通コアが、それぞれ柱状の結合片の両端部から一方向に柱状の側脚片が突出した形状の一対のＵ型コアを、各側脚片の先端同士を突き合わせる形で結合することで形成されるＵＵ型のコアであって、前記各分割巻線がそれぞれ異なるＵ型コアに巻装されていることを特徴とする。
【００１５】
この構成によれば、各分割巻線がそれぞれ異なるＵ型コアに巻装されているので、両分割巻線間の結合度が低くなり、各分割巻線への通電時に漏れ磁束が生じやすくなる。したがって、漏れ磁束によって発生するリーケージインダクタンスが第２の回路に用いられる場合に、第２の回路に用いられるインダクタンスを大きくすることができる。
【００１６】
請求項５の発明は、請求項１ないし請求項３のいずれかの発明において、前記共通コアが連続する環状に形成された非分割型のリングコアであることを特徴とする。
【００１７】
この構成によれば、共通コアとしてたとえばＵＵ型コアを用いる場合に比べて、少ない巻数であっても第１の巻線のインダクタンスを大きくすることができるという利点がある。
【００１８】
請求項６の発明は、請求項１ないし請求項３のいずれかの発明において、前記共通コアが、それぞれ柱状の結合片の両端部から一方向に柱状の側脚片が突出し且つ結合片の中央部から前記一方向に柱状の中脚片が突出した形状の一対のＥ型コアを、各側脚片および中脚片の先端同士を突き合わせる形で結合することで形成されるＥＥ型のコアであって、前記各分割巻線がそれぞれ異なるＥ型コアに巻装されていることを特徴とする。
【００１９】
この構成によれば、共通コアとしてたとえばＵＵ型コアを用いる場合に比べて、少ない巻数であっても第１の巻線のインダクタンスを大きくすることができるという利点がある。また、各分割巻線がそれぞれ異なるＥ型コアに巻装されているので、両分割巻線間の結合度が低くなり、各分割巻線への通電時に漏れ磁束が生じやすくなる。したがって、漏れ磁束によって発生するリーケージインダクタンスが第２の回路に用いられる場合に、第２の回路に用いられるインダクタンスを大きくすることができる。
【００２０】
請求項７の発明は、請求項１ないし請求項３のいずれかの発明において、前記共通コアが、互いに対向配置される一対の結合片と、両結合片の各一端部間をそれぞれ連結する一対の側脚片と、両結合片の中央部間を連結する中脚片とを有し、前記第１の巻線が中脚部に巻装され、前記各分割巻線がそれぞれ異なる側脚片に巻装されていることを特徴とする。
【００２１】
この構成によれば、第２の巻線への通電時に生じる磁束は共通コアのうち側脚片および結合片で構成される磁路を通ることとなる。したがって、第２の巻線のインダクタンスを比較的大きく確保することができる。
【００２２】
請求項８の発明は、請求項１ないし請求項７のいずれかの発明において、前記第１の巻線および前記第２の巻線が、一方の前記分割巻線と第１の巻線との間の結合度と、他方の分割巻線と第１の巻線との間の結合度とが同じになるように前記共通コアに巻装されていることを特徴とする。
【００２３】
この構成によれば、第１の巻線への通電時に、各分割巻線に生じる起電力の大きさに差が生じることを確実に防止でき、第１の巻線の通電時に生じる磁束が第２の巻線の動作に影響することを確実に防止できる。
【００２４】
請求項９の発明は、請求項１ないし請求項８のいずれかの発明において、前記共通コアが、前記分割巻線が巻装される巻装部が他の部位に比べて磁気抵抗を小さくするように磁路の断面積が大きく形成されていることを特徴とする。
【００２５】
この構成によれば、各分割巻線への通電時に漏れ磁束が生じやすくなるので、漏れ磁束によって発生するリーケージインダクタンスが第２の回路に用いられる場合に、第２の回路に用いられるインダクタンスを大きくすることができる。
【００２６】
請求項１０の発明は、請求項１ないし請求項９のいずれか１項に記載の巻線部品を備え、前記第１の回路と前記第２の回路との各々が電源回路であって、自己の出力電圧を監視してフィードバック制御により出力電圧を安定させる制御手段を個別に有することを特徴とする。
【００２７】
この構成によれば、第１および第２の回路の各々が制御手段を個別に有するので、第１の回路と第２の回路のいずれか一方の出力電圧が変動した場合に、この出力変動を他方の出力電圧に影響を与えることなく補正することができる。
【発明の効果】
【００２８】
本発明は、第１および第２の回路の各々に用いられながらも、第１および第２の両回路の巻線で１つの共通コアを共用しているから、各巻線に個別にコアを設けた従来構成に比べて巻線部品を小型化することができる。しかも、第１の巻線の通電時に生じる磁束が、第２の巻線の動作に影響を及ぼすことはなく、また、第２の巻線の通電時に生じる磁束が、第１の巻線の動作に影響を及ぼすこともない。
【発明を実施するための最良の形態】
【００２９】
（実施形態１）
本実施形態の巻線部品１（図３参照）は、図２に示すように、直流電源Ｅ１からの第１の入力電圧Ｖｉｎ１に応じて第１の出力電圧Ｖｏｕｔ１を出力する第１の回路Ｃｉｒ１と、直流電源Ｅ２からの第２の入力電圧Ｖｉｎ２に応じて第２の出力電圧Ｖｏｕｔ２を出力する第２の回路Ｃｉｒ２とを備えた電源装置に用いられる。以下に、この電源装置の基本構成について図２を参照して説明する。
【００３０】
第１の回路Ｃｉｒ１は、ＲＣＣ（リンギング・チョーク・コンバータ）方式により自励発振し、１次側に第１の巻線Ｎ１が設けられたトランスＴｒによって入力側と出力側とが絶縁されたフライバック型の回路である。この回路Ｃｉｒ１は、第１の入力電圧Ｖｉｎ１が印加される入力端間にトランスＴｒの１次巻線としての第１の巻線Ｎ１とスイッチング素子Ｑ１（ＦＥＴ）と抵抗Ｒ１との直列回路が接続されるとともに、トランスＴｒの２次側に設けられた２次巻線としての出力巻線Ｎ２にダイオードＤ１を介してコンデンサＣ１が接続された構成を有し、コンデンサＣ１の両端に第１の出力電圧Ｖｏｕｔ１を生じる。ここにおいて、トランスＴｒの２次側には２次巻線としてさらに帰還巻線Ｎ３が設けられており、帰還巻線Ｎ３は、第１の巻線Ｎ１に流れる電流の増加に伴い抵抗Ｒ２およびコンデンサＣ２を介してスイッチング素子Ｑ１のゲートに電圧を印加するように接続される。
【００３１】
また、入力端間には、抵抗Ｒ３とトランジスタＱ２のコレクタ−エミッタとの直列回路がトランジスタＱ２のエミッタを負極に接続する形で接続されており、抵抗Ｒ３とトランジスタＱ２のコレクタとの接続点はスイッチング素子Ｑ１のゲートに接続されている。トランジスタＱ２のベース−エミッタ間にはコンデンサＣ３が接続され、トランジスタＱ２のベースは、スイッチング素子Ｑ１と抵抗Ｒ１との接続点に抵抗Ｒ４を介して接続されている。
【００３２】
上述した構成の第１の回路Ｃｉｒ１の動作を簡単に説明する。入力端間に入力電圧Ｖｉｎ１が印加されると、抵抗Ｒ３を介してスイッチング素子Ｑ１のゲートに電圧が印加され、トランスＴｒの第１の巻線Ｎ１に電流が流れ始める。これにより帰還巻線Ｎ３に生じる起電力によって、スイッチング素子Ｑ１はオンし、スイッチング素子Ｑ１がオンの期間にトランスＴｒの第１の巻線Ｎ１にエネルギが蓄積される。これと同時に、抵抗Ｒ４を介してコンデンサＣ３が充電され、コンデンサＣ３の両端電圧がトランジスタＱ２のベース−エミッタ間に印加されることにより、スイッチング素子Ｑ１のゲート電圧が減少する。そのため、帰還巻線Ｎ３に生じる起電力の極性が反転し、スイッチング素子Ｑ１はオフし、スイッチング素子Ｑ１がオフの期間にトランスＴｒの出力巻線Ｎ２から出力を行う。この動作を繰り返すことにより、第１の入力電圧Ｖｉｎ１に応じて第１の出力電圧Ｖｏｕｔ１が得られることとなる。
【００３３】
また、ここでは第１の出力電圧Ｖｏｕｔ１の大きさを監視してフィードバック制御により第１の出力電圧Ｖｏｕｔ１を安定させる制御手段として、第１の出力電圧Ｖｏｕｔ１の大きさに応じてトランジスタＱ２のベースに印加する電圧を制御するフィードバック回路ｆ１が設けられている。フィードバック回路ｆ１は、第１の出力電圧Ｖｏｕｔ１が大きくなると、トランジスタＱ２のベースに印加する電圧を高くすることでスイッチング素子Ｑ１のオンデューティを小さくし第１の出力電圧Ｖｏｕｔ１を低下させる機能を有する。
【００３４】
一方、第２の回路Ｃｉｒ２は、チョッパ型の降圧ＤＣ−ＤＣコンバータであって、第２の入力電圧Ｖｉｎ２が印加される入力端間にスイッチング素子Ｑ３（ＦＥＴ）とダイオードＤ２との直列回路がダイオードＤ２のアノードを負極に接続する形で接続されている。ダイオードＤ２の両端間には、チョークコイルＬ１と平滑コンデンサＣ４との直列回路がチョークコイルＬ１をダイオードＤ２のカソードに接続する形で接続されている。さらに、スイッチング素子Ｑ３のゲートにスイッチング素子Ｑ３を繰り返しオンオフすると共にスイッチング素子Ｑ３のオンデューティを制御するＰＷＭ制御回路Ｃｏｎ１が接続された構成を有し、スイッチング素子Ｑ３のオンオフに伴って平滑コンデンサＣ４の両端に第２の出力電圧Ｖｏｕｔ２を生じる。
【００３５】
上述した構成の第２の回路Ｃｉｒ２の動作を簡単に説明する。入力端間に入力電圧Ｖｉｎ２が印加された状態でスイッチング素子Ｑ３がオンすると、チョークコイルＬ１にエネルギが蓄積される。スイッチング素子Ｑ３がオフすると、チョークコイルＬ１に蓄積されたエネルギが出力される。この動作を繰り返すことにより、第２の入力電圧Ｖｉｎ２に応じて第２の出力電圧Ｖｏｕｔ２が得られることとなる。
【００３６】
また、ここでは第２の出力電圧Ｖｏｕｔ２の大きさを監視してフィードバック制御により第２の出力電圧Ｖｏｕｔ２を安定させる制御手段として、第２の出力電圧Ｖｏｕｔ２の大きさに応じてＰＷＭ制御回路Ｃｏｎ１を制御するフィードバック回路ｆ２が設けられている。フィードバック回路ｆ２は、第２の出力電圧Ｖｏｕｔ２が大きくなると、ＰＷＭ制御回路Ｃｏｎ１によるスイッチング素子Ｑ３のオンデューティを小さくし第２の出力電圧Ｖｏｕｔ２を低下させる。
【００３７】
ところで、上述の電源装置では巻線部品１として、第１の回路Ｃｉｒ１にトランスＴｒが用いられており、第２の回路Ｃｉｒ２にチョークコイルＬ１が用いられている。以下では、本実施形態の巻線部品１の構成について説明する。
【００３８】
第１の回路Ｃｉｒ１のトランスＴｒを構成する第１の巻線Ｎ１と出力巻線Ｎ２と帰還巻線Ｎ３とは、１つの共通コア２に対して巻装されている。本実施形態の共通コア２は、図３に示すようにそれぞれ角柱状の結合片３ａの両端部から一方向に角柱状の側脚片３ｂが突出した形状の一対のＵ型コア３を、各側脚片３ａの先端同士を突き合わせる形で結合することで矩形枠状に形成されるＵＵ型のコアである。巻線部品１を構成する各巻線は、筒状に形成され共通コア２の一部が挿通される合成樹脂製のコイルボビン４の外周に巻回されることで共通コア２に巻装されることになる。
【００３９】
ここにおいて、第１の巻線Ｎ１と出力巻線Ｎ２と帰還巻線Ｎ３とは、共通コア２のうち一対の側脚片３ｂが突き合わされて成る一辺に対して、出力巻線Ｎ２と帰還巻線Ｎ３との間に第１の巻線Ｎ１が配置されるように互いに隣接する形で巻装される。これにより、共通コア２が第１の巻線Ｎ１への通電時に生じる磁束を通す環状の磁路を形成し、第１の巻線Ｎ１と出力巻線Ｎ２および帰還巻線Ｎ３とが磁気的に結合されることになるので、出力巻線Ｎ２および帰還巻線Ｎ３には第１の巻線Ｎ１への通電に伴って起電力が生じることとなる。
【００４０】
ところで、共通コア２には、上述した第１の巻線Ｎ１と出力巻線Ｎ２と帰還巻線Ｎ３との他に、互いに巻数および線径が同一である一対の分割巻線５ａ，５ｂからなる第２の巻線５が巻装されている。ここでは、一対の分割巻線５ａ，５ｂは、共通コア２のうち第１の巻線Ｎ１が巻装された一辺とは別の一対の側脚片３ｂが突き合わされて構成された一辺に対して、互いに離間する形で巻装されており、図１（ａ）に示すように、第１の巻線Ｎ１への通電により共通コア２を通る磁束が生じた際に前記磁束の変化に伴って発生する起電力が互いに打ち消し合うように、逆直列に接続されている。さらに、各分割巻線５ａ，５ｂのインダクタンスが同一となるように、共通コア２のうち少なくとも各分割巻線５ａ，５ｂが巻装された巻装部２ａ（図１２（ｃ）参照）は磁路の断面積が同一に設定されている。
【００４１】
この構成により、第１の巻線Ｎ１への通電により共通コア２を通る磁束が生じても、一対の分割巻線５ａ，５ｂにおいては、前記磁束の変化に伴って発生する起電力が互いに打ち消す合うことによって実質起電力は生じない。したがって、第１の巻線Ｎ１の通電時に生じる磁束が、第２の巻線５の動作に影響を及ぼすことはない。
【００４２】
また、上述の構成によれば、各分割巻線５ａ，５ｂに個別に通電した場合に共通コア２には同じ数の磁束が逆向きに生じることになるから、共通コア２のうち第１の巻線Ｎ１と出力巻線Ｎ２と帰還巻線Ｎ３とが巻装された部位には、直列接続された両分割巻線５ａ，５ｂへの通電時に実質磁束は生じない。したがって、第２の巻線５の通電時に生じる磁束が、第１の巻線Ｎ１と出力巻線Ｎ２と帰還巻線Ｎ３とで構成されるトランスＴｒの動作に影響を及ぼすことはない。
【００４３】
ここにおいて、上述したように第２の巻線５への通電時に生じる磁束は共通コア２を通ることができないから、図１（ｂ）に示すように共通コア２の周囲の空気中を通る漏れ磁束φ１となる。各分割巻線５ａ，５ｂへの通電により生じる漏れ磁束φ１はそれぞれ個別の磁路を通るから互いに打ち消し合うことはなく、この漏れ磁束φ１によって発生するリーケージインダクタンスが第２の巻線５のインダクタンスとして利用される。つまり、第２の巻線５は、図１（ｃ）に示すように各分割巻線５ａ，５ｂのリーケージインダクタンスＬｅを合計したインダクタンスを持つ巻線部品１として用いることができ、ここでは、図４に示すように第２の回路ＣｉｒのチョークコイルＬ１として第２の巻線５が用いられる。
【００４４】
上述のように、第１の巻線Ｎ１が巻装されている共通コア２に対して一対の分割巻線５ａ，５ｂからなる第２の巻線５を設けることにより、第１の回路Ｃｉｒ１のトランスＴｒと第２の回路Ｃｉｒ２のチョークコイルＬ１とで、１つの共通コア２を共用することができるから、各巻線に個別にコアを設ける場合に比べて、第１および第２の回路Ｃｉｒ１，Ｃｉｒ２に用いられる巻線部品１を小型化することができる。しかも、第１の回路Ｃｉｒ１の巻線と第２の回路Ｃｉｒ２の巻線とで１つの共通コア２を共用しているにもかかわらず、第１の回路Ｃｉｒ１のトランスＴｒへの通電により生じる磁束が第２の回路Ｃｉｒ２のチョークコイルＬ１の動作に影響を及ぼすことはなく、また、第２の回路Ｃｉｒ２のチョークコイルＬ１への通電により生じる磁束が第１の回路Ｃｉｒ１のトランスＴｒの動作に影響を及ぼすこともない。
【００４５】
さらに、本実施形態では、第１の巻線Ｎ１に対して両分割巻線５ａ，５ｂが共通コア２の周方向に対称に配置されるように、各分割巻線５ａ，５ｂから第１の巻線Ｎ１までの距離が同一に設定されている。これにより、一方の分割巻線５ａと第１の巻線Ｎ１との間の結合度と、他方の分割巻線５ｂと第１の巻線Ｎ１との間の結合度とが同一になる。そのため、第１の巻線Ｎ１への通電時に、各分割巻線５ａ，５ｂに生じる起電力の大きさに差が生じることを確実に防止でき、第１の巻線Ｎ１の通電時に生じる磁束が第２の巻線５の動作に影響することを確実に防止できるという利点がある。
【００４６】
また、一対の分割巻線５ａ，５ｂは別々のＵ型コア３に巻装されているので、両分割巻線５ａ，５ｂの間には、側脚片３ｂと側脚片３ｂとの間のギャップが介在し、このギャップによって漏れ磁束φ１が生じやすくなるので、各分割巻線５ａ，５ｂにおけるリーケージインダクタンスＬｅを比較的大きくすることができ、第２の巻線５のインダクタンスを大きくすることができる。
【００４７】
ところで、一対の分割巻線５ａ，５ｂに関しては、上述したように巻数が同一に設定されているものの、巻数が少ない場合（たとえば巻数が各１０ターンの場合）などに、共通コア２に対する各分割巻線５ａ，５ｂの巻き始め位置や巻き終わり位置、各分割巻線５ａ，５ｂの構造等の若干の違いにより、第１の巻線Ｎ１への通電時に一対の分割巻線５ａ，５ｂ間で鎖交磁束数に差を生じることがある。この場合に、一対の分割巻線５ａ，５ｂ間で発生する起電力の大きさに差を生じることで、第１の巻線Ｎ１の通電時に生じる磁束が第２の巻線５の動作に影響し、第２の回路Ｃｉｒ２の出力電圧Ｖｏｕｔ２が変動する可能性があるが、本実施形態では第１および第２の回路Ｃｉｒ１，Ｃｉｒ２のそれぞれに制御手段としてのフィードバック回路ｆ１，ｆ２を設けてあるので、この出力変動を補正することができる。
【００４８】
また、巻線部品１の具体的構造としては上述した実施形態に限るものではなく、たとえば、図５に示すように、共通コア２を構成する一対のＵ型コア３の各結合片３ａにそれぞれ分割巻線５ａ，５ｂを巻装することも考えられる。図５の構成では両分割巻線５ａ，５ｂ間の距離が遠くなり、分割巻線５ａ，５ｂへの通電時に生じる漏れ磁束を大きくすることができるので、リーケージインダクタンスＬｅを大きくすることができる。
【００４９】
さらにまた、上述の実施形態では、第１の回路Ｃｉｒ１としてトランスＴｒの２次側に帰還巻線Ｎ３を設けた自励式のものを例示したが、スイッチング素子Ｑ１のオンオフ制御を行うＰＷＭ制御回路（図示せず）を設けて第１の回路Ｃｉｒ１を他励式としてもよく、この場合には帰還巻線Ｎ３が不要になるから、第１の回路Ｃｉｒ１のトランスＴｒは第１の巻線Ｎ１および出力巻線Ｎ２で構成される。図６に、第１の巻線Ｎ１および出力巻線Ｎ２と、第２の巻線５（一対の分割巻線５ａ，５ｂ）とを共通コア２に巻装した巻線部品１の例を示す。図６では、共通コア２として連続した環状のリングコアを用いることにより、共通コア２の形成する磁路の磁気抵抗を低く抑えているので、第１の巻線Ｎ１と出力巻線Ｎ２との間の結合度が向上し第１の回路Ｃｉｒ１を高効率で動作させることができる。
【００５０】
なお、上述の実施形態では、それぞれ個別の入力に応じて個別の出力を行う第１および第２の回路Ｃｉｒ１，Ｃｉｒ２を備えた電源装置に本発明の巻線部品１を用いた例を示したが、この例に限らず、それぞれ独立して動作する第１および第２の回路Ｃｉｒ１，Ｃｉｒ２を備えた種々の装置に、本発明の巻線部品１を適用することができる。
【００５１】
（実施形態２）
本実施形態では、実施形態１の巻線部品１を、背景技術の欄で説明した静電霧化装置の電源装置に適用した例を示す。ここにおいて、第１の回路Ｃｉｒ１は、直流電源Ｅ１からの入力電圧Ｖｉｎ１を水を霧化させるための高電圧である第１の出力電圧Ｖｏｕｔ１に変換して出力し、第２の回路Ｃｉｒ２は、直流電源Ｅ２からの入力電圧Ｖｉｎ２をペルチェ素子Ｐ１に電力供給するための直流電圧である第２の出力電圧Ｖｏｕｔ２に変換して出力する。つまり、第１の回路Ｃｉｒ１の出力端は放電電極（図示せず）および対向電極（図示せず）にそれぞれ接続され、第２の回路Ｃｉｒ２の出力端間には通電により放電電極を冷却するペルチェ素子Ｐ１が負荷として接続される。
【００５２】
本実施形態の電源装置は、実施形態１で説明した図４の電源装置と比較すると以下の点で相違する。すなわち、本実施形態の電源装置は、第１の回路Ｃｉｒ１が第１の出力電圧Ｖｏｕｔ１として高電圧を出力するために、図７に示すように、出力端間に接続されたダイオードＤ１の向きと出力巻線Ｎ２の向きとがそれぞれ逆向きになり、さらにダイオードＤ１のアノードと出力端との間に抵抗Ｒ５が挿入されている。ここで、出力巻線Ｎ２におけるダイオードＤ１と反対側の一端に接続された出力端には直流電源Ｅ１の負極が接続されており、直流電源Ｅ１の負極の電位を第１の回路Ｃｉｒ１の基準電位としている。
【００５３】
また、図７では第１の回路Ｃｉｒ１におけるフィードバック回路ｆ１の構成も例示している。ここに示すフィードバック回路ｆ１は、出力端間に直列に接続された検出用抵抗Ｒ６，Ｒ７を備え、検出用抵抗Ｒ６，Ｒ７の接続点をトランジスタＱ２のベースに接続した構成を有し、検出用抵抗Ｒ６，Ｒ７で分圧した出力電圧Ｖｏｕｔ１をトランジスタＱ２のベースに印加することにより、出力電圧Ｖｏｕｔ１の大きさに応じてスイッチング素子Ｑ１のオンデューティを変化させる。
【００５４】
この構成によれば、第１の回路Ｃｉｒ１は入力電圧Ｖｉｎ１を昇圧して高電圧を出力し、第２の回路Ｃｉｒは入力電圧Ｖｉｎ２を降圧して直流電圧を出力する。第２の回路Ｃｉｒ２の出力により、ペルチェ素子Ｐ１が放電電極を冷却して空気中の水分を放電電極上に結露させ、第１の回路Ｃｉｒ１の出力により、放電電極と対向電極との間に高電圧を印加して放電電極上の水分を霧化させる。なお、ここでは放電電極を低電位側に接続することで、帯電微粒子水に負の電荷を帯電させマイナスイオンを生成している。
【００５５】
また、この静電霧化装置では、常にペルチェ素子Ｐ１への電力供給と同時に、放電電極と対向電極との間に高電圧を印加しており、そのため、第１および第２の回路Ｃｉｒ１，Ｃｉｒ２を常に同時に動作させている。したがって、第２の回路Ｃｉｒ２を停止しているにもかかわらず、第１の巻線Ｎ１への通電により生じた磁束が第２の巻線５に鎖交して第２の回路Ｃｉｒ２の出力電圧Ｖｏｕｔ２を生じるといった不具合を回避できる。
【００５６】
次に、供給電圧が１２Ｖを基準として±１０％の範囲（１０．８〜１３．２Ｖ）で変動する車載用バッテリー（図示せず）を用いて静電霧化装置を動作させる例について説明する。
【００５７】
第１の回路Ｃｉｒ１においては、昇圧比が大きく、入力電圧が多少変化するだけでも出力電圧が大きく変化してしまうことがあり、安定した入力電圧Ｖｉｎ１を必要とするので、第１の回路Ｃｉｒ１に接続する直流電源Ｅ１としては車載用バッテリーの出力を図示しない安定化回路で９Ｖに安定させた直流電源を用いる。このとき、第１の出力電圧Ｖｏｕｔ１を−５ｋＶの直流電圧とする。ただし、第１の回路Ｃｉｒ１の出力は１０μＡ以下とし、その電力を０．０５Ｗ以下とすることで、共通コア２に生じる磁束密度を小さく抑え、第２の回路Ｃｉｒ２への影響を抑制している。一方、第２の回路Ｃｉｒ２においては入力電圧Ｖｉｎ２の多少の変化は許容できるので、第２の回路Ｃｉｒ２に接続する直流電源Ｅ２としては車載用バッテリーを直接用いる。このとき、第２の回路Ｃｉｒ２から出力される電力は２Ｗ程度とする。
【００５８】
その他の構成および機能は実施形態１と同様である。
【００５９】
なお、上述の実施形態では、静電霧化装置の電源装置に本発明の巻線部品１を用いた例を示したが、この例に限らず、それぞれ個別の入力に応じて個別の出力を行う第１および第２の回路Ｃｉｒ１，Ｃｉｒ２を備えた電源装置であれば、本発明の巻線部品１を適用することができる。
【００６０】
（実施形態３）
本実施形態の巻線部品１は、図８に示すように第１および第２の回路Ｃｉｒ１，Ｃｉｒ２の両方をチョッパ型の降圧ＤＣ−ＤＣコンバータとした電源装置に用いられるものであって、第１の巻線Ｎ１が第１の回路Ｃｉｒ１においてチョークコイルＬ２を構成する点が実施形態１の巻線部品１と相違する。
【００６１】
すなわち、図８の電源装置は、第１の回路Ｃｉｒ１が第２の回路Ｃｉｒ２と同様の構成を有している。第１の回路Ｃｉｒ１は、第１の入力電圧Ｖｉｎ１が印加される入力端間にスイッチング素子Ｑ４（ＦＥＴ）とダイオードＤ３との直列回路がダイオードＤ３のアノードを負極に接続する形で接続されている。ダイオードＤ３の両端間には、チョークコイルＬ２と平滑コンデンサＣ５との直列回路がチョークコイルＬ２をダイオードＤ３のカソードに接続する形で接続されている。さらに、スイッチング素子Ｑ４のゲートにスイッチング素子Ｑ４を繰り返しオンオフすると共にスイッチング素子Ｑ４のオンデューティを制御するＰＷＭ制御回路Ｃｏｎ２が接続された構成を有し、スイッチング素子Ｑ４のオンオフに伴って平滑コンデンサＣ５の両端に第１の出力電圧Ｖｏｕｔ１を生じる。
【００６２】
上述した構成の第１の回路Ｃｉｒ１の動作を簡単に説明する。入力端間に入力電圧Ｖｉｎ１が印加された状態でスイッチング素子Ｑ４がオンすると、チョークコイルＬ２にエネルギが蓄積される。スイッチング素子Ｑ４がオフすると、チョークコイルＬ２に蓄積されたエネルギが出力される。この動作を繰り返すことにより、第１の入力電圧Ｖｉｎ１に応じて第１の出力電圧Ｖｏｕｔ１が得られることとなる。
【００６３】
ここでは、第１の回路Ｃｉｒ１に実施形態１で説明したトランスＴｒに代えてチョークコイルＬ２が用いられており、第１の巻線Ｎ１がチョークコイルＬ２を構成する。具体的には、図９に示すように連続した環状のリングコアからなる共通コア２に対して、第１の巻線Ｎ１と一対の分割巻線５ａ，５ｂとを巻装することで巻線部品１が構成される。図９の例では、第１の巻線Ｎ１に対して両分割巻線５ａ，５ｂが共通コア２の周方向に対称に配置されるように、第１の巻線Ｎ１の両側に各分割巻線５ａ，５ｂが設けられている。これにより、一方の分割巻線５ａと第１の巻線Ｎ１との間の結合度と、他方の分割巻線５ｂと第１の巻線Ｎ１との間の結合度とは同じになる。
【００６４】
また、ＵＵ型のコアを共通コア２として用い、図１０に示すように各Ｕ型コア３の側脚片３ｂの継目上に第１の巻線Ｎ１を巻装し、各分割巻線５ａ，５ｂをそれぞれ個別のＵ型コア３の結合片３ａに巻装するようにしてもよい。
【００６５】
その他の構成および機能は実施形態１と同様である。
【００６６】
（実施形態４）
本実施形態の巻線部品１は、図１１に示すように、共通コア２として、それぞれ角柱状の結合片６ａの両端部から一方向に角柱状の側脚片６ｂが突出し且つ結合片６ａの中央部から前記一方向に角柱状の中脚片６ｃが突出した形状の一対のＥ型コア６を、各側脚片６ｂおよび中脚片６ｃの先端同士を突き合わせる形で結合することで形成されるＥＥ型のコアを用いている点が実施形態１の巻線部品１と相違する。
【００６７】
ここでは、トランスＴｒを構成する第１の巻線Ｎ１と出力巻線Ｎ２と帰還巻線Ｎ３、およびチョークコイルＬ１を構成する第２の巻線５（一対の分割巻線５ａ，５ｂ）の両方が互いに突き合わされた一対の中脚片６ｃに巻装されている。図１１に示す例では、中脚片６ｃの長手方向において第１の巻線Ｎ１の両側に出力巻線Ｎ２と帰還巻線Ｎ３とが配置され、さらにその両側に一対の分割巻線５ａ，５ｂが配置されている。これにより、両分割巻線５ａ，５ｂは第１の巻線Ｎ１に対して対称に配置され、一方の分割巻線５ａと第１の巻線Ｎ１との間の結合度と、他方の分割巻線５ｂと第１の巻線Ｎ１との間の結合度とは同じになる。
【００６８】
ここにおいて、共通コア２は、各Ｅ型コア６における両方の側脚片６ｂが、結合片６ａおよび中脚片６ｃと共に第１の巻線Ｎ１への通電時に生じる磁束を通す磁路を形成するので、ＵＵ型の共通コア２に比べて磁路の磁気抵抗を低く抑えることができ、第１の巻線Ｎ１と出力巻線Ｎ２との間の結合度が向上し第１の回路Ｃｉｒ１を高効率で動作させることができる。
【００６９】
本実施形態の巻線部品１では、各分割巻線５ａ，５ｂに個別に通電した場合に、図１１（ｃ）に示すように同じ数の磁束φａ，φｂが共通コア２における中脚片６ｃと結合片６ａと各側脚片６ｂとの全域において逆向きに生じることになるから、直列接続された両分割巻線５ａ，５ｂへの通電時に共通コア２には実質磁束は生じない。なお、図１１（ｃ）では、第１の巻線Ｎ１と出力巻線Ｎ２と帰還巻線Ｎ３との図示を省略している。
【００７０】
本実施形態では、共通コア２としてＥＥ型のコアを用いた例を示したが、中脚片６ｃが円柱状のＥＥＲ型のコアを共通コア２としてもよく、また、柱状のＩ型コアをＥ型コア６の各側脚片６ｂおよび中脚片６ｃの先端に突き合わせる形で結合することで形成されるＥＩ型のコアを共通コア２として用いてもよい。
【００７１】
その他の構成および機能は実施形態１と同様である。
【００７２】
（実施形態５）
本実施形態の巻線部品１は、図１２に示すように共通コア２において分割巻線５ａ，５ｂを巻装した巻装部２ａが共通コア２における他の部位に比べて磁気抵抗を小さくするように断面積が大きく形成されている点が実施形態１の巻線部品１と相違する。
【００７３】
すなわち、本実施形態では、図１２（ｃ）に示すように各Ｕ型コア３の一方の側脚片３ｂの一部に他の部位よりも太い巻装部２ａをそれぞれ形成した共通コア２を用い、各巻装部２ａにそれぞれ分割巻線５ａ，５ｂを巻装する。このように巻装部２ａを太くしたことにより、分割巻線５ａ，５ｂへの通電時に各分割巻線５ａ，５ｂで生じる磁束数が増え、また、側脚片３ｂの長手方向における巻装部２ａの端面から漏れ磁束φ１が生じやすくなるので、結果的に、第２の巻線５のリーケージインダクタンスＬｅを大きくすることができる。
【００７４】
また、図１３に示すように、コイルボビン４に高透磁率材料からなる部分コア７を設け、コイルボビン４を共通コア２に装着した状態で部分コア７を共通コア２の一部として利用することにより、共通コア２のうち巻装部２ａとなる部位の断面積を部分コア７の分だけ広げるようにしてもよい。この構成では、共通コア２の形状に変更を加えることなく、上述したように第２の巻線５のリーケージインダクタンスＬｅを大きくできるという効果を奏する。
【００７５】
さらに、図１４に示すように、コイルボビン４の外側を通して部分コア７の両端間を連結することにより部分コア７と共に分割巻線５ａ，５ｂの一部を包囲する追加コア８を付加してもよく、この場合には、分割巻線５ａ，５ｂへの通電時に追加コア８を通して漏れ磁束φ１が一層生じやすくなるので、結果的に、第２の巻線５のリーケージインダクタンスＬｅをより大きくすることができる。
【００７６】
その他の構成および機能は実施形態１と同様である。
【００７７】
（実施形態６）
本実施形態の巻線部品１は、図１５に示すように、第１の巻線Ｎ１と出力巻線Ｎ２と帰還巻線Ｎ３とが互いに突き合わされた一対の中脚片６ｃに巻装され、第２の巻線５となる各分割巻線５ａ，５ｂが一方のＥ型コア６の各側脚片６ｂにそれぞれ巻装されている点が実施形態４の巻線部品１と相違する。その他の構成および機能は、共通コア２としてＥＥ型のコアを用いた実施形態４の巻線部品１と同様である。
【００７８】
ここに、一対の分割巻線５ａ，５ｂは、第１の巻線Ｎ１への通電により共通コア２を通る磁束が生じた際に前記磁束の変化に伴って発生する起電力が互いに打ち消し合うように、逆直列に接続されている。この構成により、第１の巻線Ｎ１への通電により共通コア２を通る磁束が生じても、一対の分割巻線５ａ，５ｂにおいては、前記磁束の変化に伴って発生する起電力が互いに打ち消す合うことによって実質起電力は生じない。したがって、第１の巻線Ｎ１の通電時に生じる磁束が、第２の巻線５の動作に影響を及ぼすことはない。
【００７９】
また、上述の構成によれば、各分割巻線５ａ，５ｂに個別に通電した場合に、図１５（ｃ）に示すように共通コア２のうち中脚片６ｃには同じ数の磁束が逆向きに生じることになるから、第１の巻線Ｎ１と出力巻線Ｎ２と帰還巻線Ｎ３とが巻装された部位には、直列接続された両分割巻線５ａ，５ｂへの通電時に実質磁束は生じない。したがって、第２の巻線５の通電時に生じる磁束が、第１の巻線Ｎ１と出力巻線Ｎ２と帰還巻線Ｎ３とで構成されるトランスＴｒの動作に影響を及ぼすことはない。なお、図１５（ｃ）では、第１の巻線Ｎ１と出力巻線Ｎ２と帰還巻線Ｎ３との図示を省略している。
【００８０】
ここにおいて、上述したように第２の巻線５への通電時に生じる磁束φａ，φｂは中脚片６ｃを通ることができないから、図１５（ｃ）に示すように共通コア２のうち側脚片６ｂおよび結合片６ａで構成される磁路を通ることとなる。各分割巻線５ａ，５ｂへの通電により生じる磁束φａ，φｂは、同じ向きの磁束であるから互いに打ち消し合うことはなく、互いに強め合うこととなる。そのため、本実施形態の構成によれば、図１１（ｃ）に示す実施形態４の構成に比べて、第２の巻線５のインダクタンスを大きく確保することができる。なお、実施形態４と同じインダクタンスとする場合には、各分割巻線５ａ，５ｂの線径を太くすることができ、第２の巻線５での銅損を低減し第２の回路Ｃｉｒ２の効率を向上させることができる。
【００８１】
すなわち、実施形態４の構成では、図４に示すように各分割巻線５ａ，５ｂのリーケージインダクタンスＬｅを第２の巻線５のインダクタンスとして第２の回路Ｃｉｒ２に用いているのに対して、本実施形態では、図１６に示すように各分割巻線５ａ，５ｂのリーケージインダクタンスＬｅと、共通コア２の中脚部６ｃを除く部位を磁路とする磁束φａ，φｂによって発生する各分割巻線５ａ，５ｂのインダクタンスとを合計したものを第２の巻線５のインダクタンスとして第２の回路Ｃｉｒ２に用いている。なお、各分割巻線５ａ，５ｂのインダクタンスの大きさはリーケージインダクタンスＬｅに比べると大きくなっているので、本実施形態の巻線部品１は大きなインダクタンスを必要とする回路に特に有用である。
【００８２】
ところで、巻線部品１を構成する各巻線を高圧側と低圧側とで分類すると、出力巻線Ｎ２が高圧側となり、第１の巻線Ｎ１と帰還巻線Ｎ３と両分割巻線５ａ，５ｂとが低圧側となる。本実施形態では、中脚片６ｃの長手方向において第１の巻線Ｎ１、帰還巻線Ｎ３、出力巻線Ｎ２の順に並設されているので、たとえば一方のＥ型コア６に高圧側の出力巻線Ｎ２を巻装し、他方のＥ型コア６に低圧側の第１の巻線Ｎ１と帰還巻線Ｎ３と両分割巻線５ａ，５ｂとを巻装することにより高圧側と低圧側とを分離することができる。なお、出力巻線Ｎ２の両端間には高電圧が発生するから、図１７に示すように、中脚片６ｃの長手方向においてコイルボビン４で絶縁された複数個（ここでは３個）の小巻線９を直列接続して出力巻線Ｎ２とすることで、出力巻線Ｎ２の両端間の絶縁距離を大きく確保することが望ましい。
【図面の簡単な説明】
【００８３】
【図１】本発明の実施形態１の巻線部品を示し、（ａ）は第２の巻線の概略構成図、（ｂ）は正面図、（ｃ）は第２の巻線の等価回路図である。
【図２】同上の電源装置の基本構成を示す概略回路図である。
【図３】同上の巻線部品を示し、（ａ）は上面図、（ｂ）は正面図である。
【図４】同上の電源装置を示す概略回路図である。
【図５】同上の巻線部品の他の例を示し、（ａ）は上面図、（ｂ）は正面図である。
【図６】同上の巻線部品のさらに他の例を示し、（ａ）は上面図、（ｂ）は正面図である。
【図７】本発明の実施形態２の電源装置を示す概略回路図である。
【図８】本発明の実施形態３の電源装置を示す概略回路図である。
【図９】同上の巻線部品を示し、（ａ）は上面図、（ｂ）は正面図である。
【図１０】同上の巻線部品の他の例を示す正面図である。
【図１１】本発明の実施形態４の巻線部品を示し、（ａ）は上面図、（ｂ）は正面図、（ｃ）は第２の巻線で生じる磁束の説明図である。
【図１２】本発明の実施形態５の巻線部品を示し、（ａ）は上面図、（ｂ）は正面図、（ｃ）は共通コアの正面図である。
【図１３】同上の巻線部品の他の例を示す要部の断面図である。
【図１４】同上の巻線部品のさらに他の例を示し、（ａ）は正面図、（ｂ）は要部の断面図である。
【図１５】本発明の実施形態６の巻線部品を示し、（ａ）は上面図、（ｂ）は正面図、（ｃ）は第２の巻線で生じる磁束の説明図である。
【図１６】同上の電源装置を示す概略回路図である。
【図１７】同上の巻線部品の他の例を示す正面図である。
【符号の説明】
【００８４】
１  巻線部品
２  共通コア
２ａ  巻装部
３  Ｕ型コア
３ａ  結合片
３ｂ  側脚片
５  第２の巻線
５ａ，５ｂ  分割巻線
６  Ｅ型コア
６ａ  結合片
６ｂ  側脚片
６ｃ  中脚片
Ｃｉｒ１  第１の回路
Ｃｉｒ２  第２の回路
ｆ１，ｆ２  フィードバック回路（制御手段）
Ｌ２  チョークコイル
Ｌｅ  リーケージインダクタンス
Ｎ１  第１の巻線
Ｎ２  出力巻線（２次巻線）
Ｎ３  帰還巻線（２次巻線）
Ｔｒ  トランス
φ１  漏れ磁束
φａ，φｂ  磁束
【図１】
2008172982.tif 000003
【図２】
2008172982.tif 000004
【図３】
2008172982.tif 000005
【図４】
2008172982.tif 000006
【図５】
2008172982.tif 000007
【図６】
2008172982.tif 000008
【図７】
2008172982.tif 000009
【図８】
2008172982.tif 000010
【図９】
2008172982.tif 000011
【図１０】
2008172982.tif 000012
【図１１】
2008172982.tif 000013
【図１２】
2008172982.tif 000014
【図１３】
2008172982.tif 000015
【図１４】
2008172982.tif 000016
【図１５】
2008172982.tif 000017
【図１６】
2008172982.tif 000018
【図１７】
2008172982.tif 000019